(57)【要約】      （修正有）【課題】簡単で、且つ信頼性のある時計の耐水性を試験する方法を提供する。【解決手段】第１の基準歩度値を得るために、第１の外圧、特に大気圧に曝される時計の歩度を測定するステージＥ１と、圧力下の第２の歩度値を得るために、加圧チャンバー内の第２外圧に曝される時計の歩度を測定するステージＥ２と、耐水性の存在または変動が既定の閾値を超えた場合の耐水性の欠陥を推測するため、圧力下の第２の歩度値と第１の基準歩度値とを比較するステージＥ３と、の各ステージを含む、少なくとも１つの時計の耐水性を試験する方法。【選択図】図１
2017040647.tif 000002
【特許請求の範囲】
【請求項１】
第１の基準歩度値を得るために、第１の外圧、特に大気圧に曝される時計の歩度を測定するステージＥ１と、
圧力下の第２の歩度値を得るために、加圧チャンバー内の第２の外圧に曝される時計の歩度を測定するステージＥ２と、
前記時計の前記歩度の測定を伴う２つのステージ（Ｅ１、Ｅ２）の少なくとも１つは、前記時計の２つの状態レポート（ＰＥ１１、ＰＥ１２；ＰＥ２１、ＰＥ２２）が提供する前記時計の２つの表示値（Ｅ１１、Ｅ１２；Ｅ２１、Ｅ２２）間の時間に関連する差を、基準クロックが測定する同一の２つの状態レポート間の時間（ｔ１、ｔ２）と比較して、測定することを含み、
耐水性の存在または変動が既定の閾値を超えた場合の耐水性の欠陥を推測するために、前記圧力下の歩度値と前記基準歩度値とを比較するステージＥ３と、
の各ステージを含む、少なくとも１つの時計の耐水性を試験する方法。
【請求項２】
第２の外圧に曝される前記時計の前記平均歩度の決定を可能とする前記時計の前記状態レポート（ＰＥ２１及びＰＥ２２）は、前記時計の前記加圧チャンバーへの導入前及び前記加圧チャンバーからの移動後に、前記加圧チャンバーの外で生成される、
請求項１に記載の耐水性を試験する方法。
【請求項３】
前記加圧チャンバーから前記時計を移動した後に生成される前記状態レポートは、３０分以内に完成される、
請求項２に記載の耐水性を試験する方法。
【請求項４】
前記状態レポートは、基準クロックが示す時間に関連する記録画像を含む、
請求項１から３のいずれか一項に記載の耐水性を試験する方法。
【請求項５】
前記時計の２つの状態レポート間の時間は、１時間以上、または２時間から８時間の間である、
請求項１から４のいずれか一項に記載の耐水性を試験する方法。
【請求項６】
第２の外圧に曝される前記時計の前記歩度の測定を伴う前記ステージは、前記第２の外圧の最大値が２から５バールの間である、加圧チャンバー内での前記時計の加圧を含む、
請求項１から５のいずれか一項に記載の耐水性を試験する方法。
【請求項７】
第２の外圧に曝される前記時計の前記歩度の測定を伴う前記ステージは、圧力の平均増加率が１から４バール／時である加圧チャンバー内での前記時計の緩やかな加圧を含む、
請求項１から６のいずれか一項に記載の耐水性を試験する方法。
【請求項８】
加圧チャンバー内に同時に収容される複数の時計の耐水性を同時に試験することを含む、
請求項１から７のいずれか一項に記載の耐水性を試験する方法。
【請求項９】
請求項１から８のいずれか一項に記載された時計の耐水性を試験する方法の実施を含む、時計の製造方法。
【請求項１０】
時計の歩度を測定する装置と、少なくとも１つの時計を収容する土台を定義する加圧チャンバーとを含む、
請求項１から８のいずれか一項に記載された耐水性を試験する方法の実施のための、時計の耐水性を試験するシステム。
【請求項１１】
時計の歩度を測定する装置は、完全に前記加圧チャンバーの外に配設される、
請求項１０に記載の時計の耐水性を試験するシステム。
【請求項１２】
前記加圧チャンバー内の前記ハウジングは、複数の時計の同時収容用に適合した空間を含む、
請求項１０または１１に記載の時計の耐水性を試験するシステム。
【請求項１３】
時計の歩度を測定する装置は前記時計の状態レポートを作成する機構を含み、当該状態レポートを作成する機構は基準クロックに連動した光学画像記録機器を含む、
請求項１０から１２のいずれか一項に記載の時計の耐水性を試験するシステム。
【発明の詳細な説明】
【技術分野】
【０００１】
本発明は、携帯用時計、更に具体的には腕時計等の時計の耐水性を試験する方法に関連する。本発明はまた、当該耐水性を試験する方法を実施する時計の製造方法に関連し、当該製造方法で得られる時計に関連する。最後に、本発明は当該耐水性を試験する方法を実施する、時計の耐水性の試験システムに関連する。
【０００２】
時計の耐水性は重要な特徴であり、国際標準のＩＳＯ２２８１０及びＩＳＯ６４２５は、それぞれ耐水性を有する携帯用時計と、ダイバーズウォッチと、に対する耐水性に関する様々な要件を規定する。
【０００３】
従来技術は、例えば特許文献１に開示するように、時計を、圧力下にありその中で機械的特性が測定される密閉室内に配設することを含む、時計の水密性を測定する様々な解決策を開示する。
【０００４】
特許文献２は、歩度の測定のために携帯用時計のてん輪の振動を電気信号に変換し分析する目的のマイク付装置に支持される携帯用時計の、耐水性試験の解決策を開示する。この測定は複雑であり、十分な信頼性がない。
【０００５】
しかしながら、現存する耐水性測定の解決策は不十分である。実際、従来技術は以下の欠点の全てまたは一部を含んでいる。
−  加圧容器内に配置される、高精度の要素に基づく複雑で専用の設備を必要とする。
−  １対１アプローチにより、物品を個々に処理する。
−  特定の形状を有する物品の一種に適合するのみであり、他の形状を有する他の物品の処理には複雑な調整を必要とする。
−  大量の物品及びまたは異なる形状の物品の、工業規模での製造に適合されていない。
−  例えば小規模な漏れの検知または大規模の漏れの検知のいずれかに特化するなど、実施する耐水性測定の一部についてのみ信頼性がある。
【先行技術文献】
【特許文献】
【０００６】
【特許文献１】米国特許第３９９１６２２号
【特許文献２】フランス特許出願公開第２１５８０６１号
【発明の概要】
【発明が解決しようとする課題】
【０００７】
本発明は、従来技術に関連する欠点を含まない、時計の耐水性試験の他の解決策を提供することを目的とする。
【０００８】
更に詳しくは、本発明の第一の目的は、時計の耐水性を試験する簡単且つ信頼性のある解決策を提供することである。
【課題を解決するための手段】
【０００９】
この目的において、少なくとも１つの時計の水密性の試験は以下のステージを含む。 
第１の基準歩度値を得るために、第１の外圧、特に大気圧に曝される時計の歩度を測定するステージと、
以下では「圧力下歩度値」と称する、圧力下の第２の歩度値を得るために、有利には前記第１の外圧よりも高い加圧チャンバー内の第２の外圧に曝される時計の歩度を測定するステージと、
耐水性の存在または変動が既定の閾値を超えた場合の耐水性の欠陥を推測するため、前記圧力下歩度値と前記基準歩度値とを比較するステージ。
【００１０】
有利には、前記時計の前記歩度の測定を伴う２つのステージの少なくとも１つは、前記時計の状態レポートの使用と、基準クロックが測定する当該２つの状態レポート間の時間との比較、を含む。
【００１１】
本発明は、請求項によってより詳細に定義される。 
【００１２】
本発明の目的、特徴や利点は、添付の図面に関連する、非包括的な例として挙げられる特定の実施形態に関する以下の説明において、詳細に開示される。
【図面の簡単な説明】
【００１３】
【図１】図１は、本発明の実施形態に係る時計の耐水性を試験する方法のステージを、模式的に示す図である。
【図２】図２は、本発明の実施形態に係る方法の基本図を示す図である。
【図３】図３は、耐水性と時計の歩度との間の相関関係を模式的に示す図である。
【図４】図４は、耐水性と時計の歩度との間の相関関係を模式的に示す図である。
【発明の詳細な説明】
【００１４】
本発明に基づく時計の耐水性を試験する方法は、例えば図３及び４に図示され、以下に説明する現象である、時計ムーブメント周囲の空気の圧力と、当該時計ムーブメントの歩度との間に存在する関係を活用するものである。歩度はここでは、単位時間毎の、一定の時間間隔（期間）で隔てられた、計時器具の２つの状態間の差として定義される。これは、一日あたり秒（ｓ／ｄ）で表され、正数の場合には器具が進んでおり、反対に負数の場合には器具が遅れている。
【００１５】
図１は、本発明の実施形態に係る時計の耐水性を試験する方法のステージを模式的に表す。
【００１６】
第１ステージＥ１は、第１の外圧、有利には大気圧を受ける場合の、時計の歩度の測定を伴う。当該第１ステージの目的は、第１の基準歩度値を確立することである。
【００１７】
第２ステージＥ２は、好ましくは第１の外圧よりも大きい第２の外圧を受ける場合の、時計の歩度の測定を伴う。この目的のため、時計は加圧チャンバー内に配置される。当該第２ステージの目的は、第２の圧力下歩度値を確立することである。変形例として、圧力下の状態での第１の圧力以下の圧力に時計を曝すことを伴ってもよい。他の変形例として、実施の順番が重要ではなく、２つのステージＥ１、Ｅ２の逆転を伴ってもよい。
【００１８】
第３ステージＥ３は、耐水性の存在または既定の閾値を超える変化の場合には耐水性の欠陥を推測するための、圧力下歩度と基準歩度との比較を伴う。実際に、時計が耐水性欠陥を示す場合、その圧力は時計ムーブメントを含むその内容積に転化され、その作動の変更につながり、それは圧力下歩度の２度目の測定で検知される。反対に、通常の耐水性を有する時計の場合、時計の周囲の外圧の変化はその作動になんら影響を及ぼさず、このためステージＥ１とＥ２で得られる歩度は等価となる。
【００１９】
本発明の実施形態によれば、２つの第１ステージＥ１、Ｅ２の歩度の測定は、歩度の平均測定で決定される。この目的において、両ステージでは、比較的長い期間にわたり時計の歩度を測定する。１時間という最低期間により、有利には、試験される時計が内在する特徴である、測時外乱を含まない、耐水性の信頼性の高い測定が得られる。
【００２０】
本発明の一実施形態は、時計の２つの状態レポートが提供する時計の２つの表示値から計算される時間の差に基づき、基準クロックが計測する実際の経過時間との比較により、一定の圧力下で過ごす期間ｔ１、ｔ２の歩度を計算する。このため、歩度値の測定の各ステージＥ１、Ｅ２は、以下のサブステージを含む。
−  前記第１状態レポートＰＥ１１、ＰＥ１２の第１サブステージＥ１１、Ｅ１２。ここで用いる状態レポートとの表現は、例えば時計の針の構成、特に基準クロックに関して割り出される各種針間の分離角を示す写真を用いた、時計が表示する時間の獲得を意味する。
−  前記第２状態レポートＰＥ１２、ＰＥ２２の、第２サブステージＥ２１、Ｅ２２。
−  基準クロックを元に、それぞれＰＥ１１、Ｐ１２及びＰＥ２１、Ｐ２２の２つの状態レポート間の（特に時、分、秒での）正確な期間ｔ１、ｔ２を計測する、前記２つのサブステージと並行して行われる第３サブステージＥ１３、Ｅ２３。
−  以下の計算式により、時計の歩度Ｍｍｉ（第１ステージＥ１ではｉ＝１、第２ステージＥ２ではｉ＝２）を計算する、第４サブステージＥ１４、Ｅ２４。
Ｍｍｉ＝（ＰＥｉ２−ＰＥｉ１）／ｔｉ
２４時間以下の期間ｔｉについて、このように計算された歩度は、従来一日あたり秒（ｓ／ｄ）で表現されるよう、三数法により変換される。ｔｉが２４時間に等しい場合、「日差」と称される。
【００２１】
測定期間ｔ１、ｔ２の間に、時計は明確な手順に基づき位置される。同一の手順が、２つのステージＥ１、Ｅ２で用いられる。更に、２つのステージＥ１、Ｅ２は、素早くリンクされてもよく、有利には当該処理をＰＥ２１＝ＰＥ１２、または合計で３つの状態レポートで行うことができる。
【００２２】
第２ステージＥ２という特定の場合に、第２外圧に曝された場合の時計の平均歩度Ｍｍ２の決定を可能とする時計の２つの状態レポートＰ２１、Ｐ２２は、有利には、加圧チャンバーの外で得られるが、それぞれ加圧チャンバーへの時計の導入前及び除去後に得られる。この取り組み方は、歩度測定器具を必要としないことから、非常に単純な加圧チャンバーの使用を許可するという利点を提供する。平均歩度の測定は、有利には瞬間歩度の測定に関連して大規模な漏れの検知を可能とする。加圧チャンバーからの除去中に携帯用時計から空気がほぼ瞬時に漏出するとしても、圧力下で記録される携帯用時計の進みまたは遅れは、状態レポートＰＥ２２の時点で評価することができる。
【００２３】
当該取り組み方において、時計を加圧チャンバーから除去した後に行われる第２状態レポートは、有利には当該除去後迅速に行われ、好ましくは３０分以内の期間に、更には２分以内に行われる。
【００２４】
大規模の漏れの場合と同様に、小規模の漏れの場合には、十分に長い期間高圧にさらすことで、大気圧での歩度に関連して歩度の変動の検知を可能とする。期間ｔ１、ｔ２はこのため、有利には２から８時間の間に存在する。
【００２５】
本方法の実施モードによれば、状態レポートは、基準クロックが表示する時刻と関連付けた、時計の針の構成、特に各種針間の分離角、特に第１時針と第２分針との間の第１角度及び第３秒針と第１または第２針との間の第２角度の、記録画像を含む。当該取り組み方は、自動測定の実施を許可するという利点を提供する。変形例として、単純な記録画像を、基準クロックが示す時刻と関連付け、画像を手作業でまたはデジタル処理で処理することにより、撮影された時間を変換することもできる。
【００２６】
一方、第２測定ステージＥ２中に時計に与えられる第２外圧は、有利には２から５バールの間にある。更に、この加圧は、急速な圧力増加の効果により特定の漏れが再度閉鎖することを防ぐために、好ましくは緩やかであり、有利には圧力の平均増加率は１から４バール／時であるか、及び少なくとも１時間にわたるかの少なくとも一方となる。このアプローチは、例えば浅い水深における浸水をシミュレートするものである。
【００２７】
変形実施形態において、状態レポートは、２つの測定のステージＥ１、Ｅ２のいずれか一方のみ実施し、他のステージではその他の解決策で、例えば平均歩度の推測を可能とするために、十分な期間にわたってインテグレートクロノスコープによる歩度の瞬時測定で、歩度を測定してもよい。これは、特に第１ステージＥ１の測定に有利である。
【００２８】
方法はその後、例えば２つの歩度測定間の差Δ=Ｍｍ２−Ｍｍ１を考慮し、その後当該差Δの絶対値を規定の閾値と比較することにより、２つのステージＥ１、Ｅ２で測定された歩度値を比較する第３ステージを実施する。値Δは、時計の耐水性を間接的に表し、このため耐水性の測定と見做すことができる。閾値は、求める耐水性要件に応じて規定される値に固定される。有利には、閾値は１０ｓ／ｄの値に固定されてもよい。
【００２９】
図２は、時間の関数として、時計が曝される外圧ｐの展開を曲線１を用いて図示することにより、本発明の実施モードの原則を要約するものである。基準歩度値Ｍｍ１は、選択的に例示した実施形態において４時間である、時計が大気圧（１バール）に等しい一定の外圧の環境下に位置される第１期間中に、２つの状態レポートＰＥ１１とＰＥ１２に基づき測定される。第２歩度値Ｍｍ２は、選択的に例示した実施形態において４時間である、時計が１から３バールに漸次増加するより高い外圧の環境に位置される第２期間中に、２つの状態レポートＰＥ１２＝ＰＥ２１とＰＥ２２に基づき測定される。
【００３０】
上述の実施方法によれば、上述の通り、加圧を唯一の機能とする非常に簡単な加圧チャンバーを用いることができる。当該取り組み方は、同時に耐水性試験方法を実施する複数の時計を収容する目的で、大容量の内部ハウジングを提案することを可能にする。この場合、歩度の測定を許可する状態レポートは、好ましくは複数の時計の状態レポートを同時に確立可能とする。代替案として、状態レポートは、異なる時計の記録画像の獲得を可能とする、例えば自動スキャンにより、高速で連続する状態レポートをほぼ同時に確立可能としてもよい。
【００３１】
本発明はまた、時計の製造方法であって、プロセスの終了に向かい、上述の時計の耐水性を試験する方法の実施を含む、時計の製造方法に関する。試験が最終であれば、製造方法は完了し、そうでない場合は、耐水性を試験する方法を再開する前に、時計の耐水性の修正のための補足ステージが実施される。
【００３２】
図３及び４は、時計が２４時間５バールの圧力下に置かれた場合の、重さΔｗの増加の関数としての複数の時計の歩度ΔＭｍの変動を図示する。このような条件に曝された非耐水性の時計では、漏れがあまり大きくなくそこから空気が非常に早く漏出しない場合を除き、重さの増加が必然的に生じる。反対に、耐水性の時計は、不変の重さを維持する。図３において、全ての時計は耐水性であり、その重さは増加しない。時計には、その内在する時間計測性能によって引き起こされる歩度の変動、または耐水性の欠陥の確立を許可する既定の閾値よりかなり低い微小の変動のみが存在することが見て取れる。一方、図４に図示する時計は、様々な度合の多数の耐水性欠陥を含み、歩度の変動と重さの増加との間に相関関係が存在することが確認でき、これは歩度の変動と耐水性欠陥の存在との間に相関関係が存在することを明確に裏付けるものである。
【００３３】
本発明はまた、好ましくは完全に自動化され、またはほぼ自動化された態様での、上述の耐水性試験方法の実施を許可する、耐水性の試験システムに関する。この目的において、実施モードに係るシステムは、以下の要素を含む。
１または複数の時計の収容を意図するハウジングを含む、加圧チャンバー。
例えば、上述した状態レポートの実施のために、例えば写真による、画像の記録用装置を含む、時計の歩度の測定装置。当該装置は、好ましくは、画像を記録する光学機器を含む、時計の状態レポート用機構を含む。
画像の記録用装置に結合され、または少なくとも相関する、基準クロック。
状態レポートのデータと、基準クロックに記録された関連する時間とを受領し、歩度値の計算を実施し、そこから耐水性診断に到達するための比較を実施するために、通信装置を用いて画像の記録用装置と基準クロックとに接続される、計算機。
状態レポートのデータとクロックデータと耐水性を試験する方法の結果データとを記録するための、計算機と関連付けられた電子メモリ。
【００３４】
システムはまた、各時計を自動的に、大気圧下でハウジングの方へ移動させる、加圧チャンバーの方へ移動させる、及び状態レポート装置の方へ移動させるための少なくともいずれかひとつを行う移動装置を含んでもよい。
【００３５】
本発明はまた、上述の製造方法で得られる時計と同様に、当該製造方法で得られる一連の時計に関する。
【００３６】
本発明は、例えば腕時計といった携帯用時計のような、時計に対して実施される。当然ながら、本発明は、例えば時計ムーブメントを含む腕時計ケースのような中間要素を含む、あらゆる要素に実施されてもよい。
【符号の説明】
【００３７】
Ｅ１    第１ステージ
Ｅ２    第２ステージ
Ｅ３    第３ステージ
Ｅ１１  第１サブステージ
Ｅ１２  第１サブステージ
Ｅ１３  第３サブステージ
Ｅ１４  第４サブステージ
Ｅ２１  第２サブステージ
Ｅ２２  第２サブステージ
Ｅ２３  第３サブステージ
Ｅ２４  第４サブステージ
【図１】
2017040647.tif 000003
【図２】
2017040647.tif 000004
【図３】
2017040647.tif 000005
【図４】
2017040647.tif 000006
【外国語明細書】
2017040647000001.pdf
2017040647000002.pdf
2017040647000003.pdf
2017040647000004.pdf